(57)【要約】【課題】  アプリケーションからのインデックス紙設定では、タブの形状に応じて多種多様なインデックス印刷を設定することが可能になっているが、印刷装置へのインデックス紙登録をするときには詳細な設定をすることができない(またはしていない）場合があるため、正しく印刷されるのかがわからないという問題があった。【解決手段】  インデックス紙を使用した印刷ジョブのプロパティ設定や印刷装置のインデックス給紙段設定のインデックス紙詳細設定からインデックス紙テスト印刷を行う。【選択図】  図１３
2013208821.tif 000002
【特許請求の範囲】
【請求項１】
インデックス紙印刷機能を有する画像形成装置（１０１）と画像形成装置にジョブを投入することができる情報処理装置（１０２）とで構成される画像形成システムにおいて、
画像形成装置の給紙段にインデックス紙属性を設定する手段（３２３）と、
画像形成装置の給紙段のインデックス紙のタブ設定をテスト印刷する給紙段タブ設定テスト印刷手段（３２３）と、
印刷ジョブのインデックス紙のページをテスト印刷する印刷ジョブインデックス紙ページテスト印刷手段（1205）と、
を有することを特徴とする画像形成装置システム。
【請求項２】
前記給紙段タブ設定テスト印刷手段は、タブ形状画像はとタブ設定画像は印刷装置で生成し、それぞれの画像を合成してタブ印テスト画像を生成し印刷することを特徴とする請求項１に記載の画像形成装置システム。
【請求項３】
印刷ジョブインデックス紙ページテスト印刷手段は、タブ形状画像はプリンタで生成し、タブ印刷画像とインデックス紙属性画像はRIPで生成し、それぞれの画像を合成してタブ印刷確認画像を生成し印刷することを特徴とする請求項１に記載の画像形成装置システム。
【請求項４】
印刷ジョブインデックス紙ページテスト印刷手段は、タブレイアウト印字ありの場合はタブ印字画像でタブ形状画像を上書きし、それ以外はタブ形状画像でタブページ画像を上書きすることを特徴とする請求項１に記載の画像形成装置システム。
【発明の詳細な説明】
【技術分野】
【０００１】
本発明はインデックス紙を扱うジョブを含む画像処理装置システムに関する。
【背景技術】
【０００２】
インデックス紙を含む印刷ジョブは北米市場を中心として広く使われており、顧客のさまざまなユースケースに対応することが望まれている。そのため、多種多様なタブの設定のサポートが必須となっている。
【０００３】
インデックス紙のタブ(タブ耳部)へ印刷を行うジョブについては、インデックス紙以外の代替用紙を用いて、印刷位置のずれが容易に確認できるような画像形成方法、画像形成システムが提案されている（特許文献１参照）。
【先行技術文献】
【特許文献】
【０００４】
【特許文献１】特開２００８−２１７４２０号公報
【発明の概要】
【発明が解決しようとする課題】
【０００５】
しかしながら、前記従来技術のインデックス紙印刷では、画像形成装置の給紙箇所にインデックス紙を登録するときに詳細な設定をすることができなかったり、詳細な設定をしていない場合があり、実際のインデックス紙へ印刷する場合に代替用紙による確認印刷通りの結果が得られるとは限らなかった。具体的には、インデックス紙のタブの数に設定できる範囲が小さかったり、給紙するインデックス紙の形状についての詳細設定と、実際に入っているインデックス紙が合っていない場合があった。また、アプリケーション側でタブへ印字するためのレイアウト機能を有していても、画像形成装置側で対応したインデックス紙が登録されていないまま印刷してしまう場合もあった。
【課題を解決するための手段】
【０００６】
インデックス紙印刷機能を有する画像形成装置と画像形成装置に印刷ジョブを投入することができる情報処理装置とで構成される画像形成システムにおいて、
画像形成装置の給紙段にインデックス紙属性を設定する手段と、
画像形成装置の給紙段のインデックス紙のタブ設定をテスト印刷する給紙段タブ設定テスト印刷手段と、
印刷ジョブのインデックス紙のページをテスト印刷する印刷ジョブインデックス紙ページテスト印刷手段とを有する。
【発明の効果】
【０００７】
多種多様なインデックス紙を用いた印刷において、画像形成装置の給紙箇所に登録したインデックス紙の確認ができ、また、印刷ジョブのタブ印刷の設定と一致しているかを確認することができるという効果を有する。
【図面の簡単な説明】
【０００８】
【図１】画像形成装置システムの構成図
【図２】画像形成装置の構成図
【図３】画像形成装置本体とペーパーデッキの断面図
【図４】画像形成装置のブロック図
【図５】情報処理装置のブロック図
【図６】画像形成装置の用紙種類の選択の操作パネルを示す図
【図７】画像形成装置のインデックス紙詳細設定の操作パネルを示す図
【図８】インデックス紙の模式図
【図９】インデックス紙テスト印刷の模式図
【図１０】インデックス紙テスト印刷処理のフローチャート
【図１１】インデックス紙印刷設定の詳細タブを示す図
【図１２】インデックス紙印刷設定のタブテキストタブを示す図
【図１３】印刷ジョブインデックス紙テスト印刷処理のフローチャート
【図１４】印刷ジョブインデックス紙テスト印刷処理の画像の模式図
【図１５】印刷ジョブインデックス紙テスト印刷処理の画像の模式図
【発明を実施するための形態】
【０００９】
以下、本発明の発明を実施するための最良の形態について図面を用いて説明する。ただし、この実施形態に記載されている図面はあくまで例示であり、この発明の範囲をそれらにのみ限定する主旨のものではない。
【００１０】
[画像形成装置システム構成]
図１を用いて本発明の画像形成装置システム構成について説明する。図１は、くるみ製本機を含む画像形成装置システムの一例を示す図である。
【００１１】
画像形成装置システムは、画像形成装置１０１、情報処理装置１０２、情報処理装置１０３、ネットワーク１０４により構成される。同図で、情報処理装置１０２は、サーバであり、画像形成装置システムのジョブ管理やＲＩＰや面付けなどのレンダリング処理を行い、印刷ジョブを画像形成装置１０１に送信する役割を担う。また、情報処理装置１０３は、クライアントＰＣであり、ネットワーク１０４を通じて情報処理装置１０２に対してプリントジョブを投入することができる。また、１０４はネットワークであり、イントラネットもしくはインターネットを表す。
【００１２】
[画像形成装置の構成図]
図２を用いて画像形成装置の構成について説明する。図２は、くるみ製本機を含む画像形成装置システムにおける画像形成装置の一例を示す図である。
【００１３】
図２は、図１における画像形成装置１０１の構成を記載したものである。画像形成装置１０１は、ペーパーデッキ２０１、画像形成装置本体２０２、大容量スタッカ２０３、くるみ製本機２０４、中綴じ製本機２０５により構成される。
【００１４】
ペーパーデッキ２０１は、大量の印刷用紙を画像形成装置本体２０２に提供するためのものであり、１０００枚単位で印刷用紙を搭載できる。ペーパーデッキ２０１を使用することで、画像形成装置本体２０２は大量枚数の印刷を中断することなく実行できる。画像形成装置本体２０２は印刷装置であり、ペーパーデッキ２０１や画像形成装置本体２０２に付属の給紙トレイから給紙した印刷用紙に印刷を行う。大容量スタッカ２０３は、印刷物を大量に溜めておくことができる排紙装置であり、主にペーパーデッキ２０１を使った大量印刷の出力物を溜めておくために利用する。くるみ製本機２０４は、くるみ製本（糊付け製本）を行うための装置であり、画像形成装置本体２０２にて印刷された印刷済用紙を直接受け取り、糊付けおよび断裁処理を一括して行う装置である。中綴じ製本機２０５は、中綴じ製本を行うための装置であり、画像形成装置本体２０２にて印刷された用紙を直接受け取り、中綴じおよび断裁処理を一括して行う装置である。
【００１５】
[画像形成装置本体とペーパーデッキの内部構成]
図３を用いて画像形成装置本体とペーパーデッキの内部構成について説明する。図３は、図２におけるペーパーデッキ２０１と画像形成装置本体２０２の構成を示したものである。
【００１６】
図３の自動原稿搬送装置（ＡＤＦ）３０１は、原稿トレイの積載面にセットされた原稿束を１頁目の原稿から、ページ順に、順番に分離して、スキャナ３０２によって原稿走査するために原稿台ガラス上へ搬送する。スキャナ３０２は、原稿台ガラス上に搬送された原稿の画像を読み取り、ＣＣＤによって画像データに変換する。回転多面鏡（ポリゴンミラー等）３０３は、前記画像データに応じて変調された、例えばレーザ光などの光線を入射させ、反射ミラーを介して反射走査光として感光ドラム３０４に照射する。感光ドラム３０４上に前記レーザ光によって形成された潜像はトナーによって現像され、転写ドラム３０５上に貼り付けられたシート材に対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム３０５上のシート材は、分離爪３０６によって分離され、定着前搬送器３０７によって定着器３０８へ搬送される。
【００１７】
定着器３０８は、ローラやベルトの組み合わせによって構成され、ハロゲンヒータなどの熱源を内蔵し、トナー像が転写されたシート材上のトナーを、熱と圧力によって溶解、定着させる。排紙フラッパ３０９は、揺動軸を中心に揺動可能に構成され、シート材の搬送方向を規定する。排紙フラッパ３０９が図中時計回りの方向に揺動しているときには、シート材は真直ぐに搬送され、排紙ローラ３１０によって機外へ排出される。
【００１８】
一方、シート材の両面に画像を形成する際には、排紙フラッパ３０９が図中反時計回りの方向に揺動し、シート材は下方向に進路を変更され両面搬送部へと送り込まれる。両面搬送部は、反転フラッパ３１１、反転ローラ３１２、反転ガイド３１３および両面トレイ３１４を具備する。反転フラッパ３１１は、揺動軸を中心に揺動可能に構成され、シート材の搬送方向を規定する。両面印刷ジョブを処理する場合は、反転フラッパ３１１を図中反時計回りの方向に揺動させることで、シートの第１面にプリント済みのシートが、反転ローラ３１２を介して、反転ガイド３１３へと送り込まれる。そして、シート材後端が反転ローラ３１２に狭持された状態で反転ローラ３１２を一旦停止させ、引き続き反転フラッパ３１１が図中時計回りの方向に揺動させる。且つ、反転ローラ３１２を逆方向に回転させる。これにより、該シートスイッチバックして搬送させ、シートの後端と先端が入れ替わった状態で、該シートが両面トレイ３１４へと導かれる。
【００１９】
両面トレイ３１４ではシート材を一旦積載し、その後、再給紙ローラ３１５によってシート材は再びレジストローラ３１６へと送り込まれる。このときシート材は、１面目の転写工程とは反対の面が感光ドラムと対向する側になって送られてきている。そして、上述したプロセスと同様にして該シートの第２面に対して２面目の画像を形成させる。そして、シート材の両面に画像が形成され、定着工程を経て排紙ローラ３１０を介して印刷装置本体内部から機外へと該シートを排出させる。以上のような一連の両面印刷シーケンスを実行することで、両面印刷ジョブのシートの第１面と第２面の各面に対する両面印刷を本印刷装置により実行可能にする。ただし、物理的に両面印刷不可能な用紙については、両面印刷は実行されない。例えば、インデックス紙には「耳」があるため両面印刷されない。
【００２０】
給紙搬送部は、印刷処理に要するシートを収納する給紙ユニットとしての給紙カセット３１７、３１８（例えば、夫々５００枚のシートを収容可能）、ペーパーデッキ３１９（例えば、５０００枚のシートを収納可能）、手差しトレイ３２０等がある。また、これら給紙ユニットに収納されたシートを給送するユニットとして、給紙ローラ３２１、レジストローラ３１６等がある。給紙カセット３１７、３１８、ＰＯＤデッキ３１９には、各種のシートサイズで且つ各種のマテリアルのシートを、これらの各給紙ユニット毎に、区別して、セット可能に構成されている。
【００２１】
手差しトレイ３２０も、ＯＨＰシート等の特殊なシートを含む各種の印刷媒体をセット可能に構成されている。給紙カセット３１７、３１８、ペーパーデッキ３１９、手差しトレイ３２０には、それぞれに給紙ローラ３２１が設けられ１枚単位でシートを連続的に給送可能に構成される。例えば、ピックアップローラによって積載されたシート材が順次繰り出され、給紙ローラ３２１に対向して設けられる分離ローラによって重送が防止されてシート材は１枚ずつ搬送ガイドへと送り出される。ここで、分離ローラには搬送方向とは逆方向に回転させる駆動力が図示しないトルクリミッタを介して入力されている。給紙ローラとの間に形成されるニップ部にシート材が１枚だけ進入しているときには、シート材に従動して搬送方向に回転する。
【００２２】
一方、重送が発生している場合には搬送方向とは逆方向に回転することにより重送したシート材が戻され、最上部の１枚だけが送り出されるようになっている。送り出されたシート材は搬送ガイドの間を案内され、複数の搬送ローラによってレジストローラ３１６まで搬送される。このときレジストローラ３１６は停止しており、シート材の先端がレジストローラ３１６対で形成されるニップ部に突き当たり、シート材がループを形成し斜行が補正される。その後、画像形成部において感光ドラム３０４上に形成されるトナー像のタイミングに合わせて、レジストローラ３１６は回転を開始してシート材を搬送する。レジストローラ３１６により送られたシート材は、吸着ローラ３２２によって転写ドラム３０５表面に静電気的に吸着される。定着器３０８から排出されたシート材は、排出ローラ３１０を介して、シート処理装置２００内部のシート搬送路へ導入される。
【００２３】
操作パネル３２３は、ＬＣＤを有する画像形成装置の操作部であり、コピーや画像形成装置に対する設定を行うことができる。
【００２４】
[画像形成システムの制御系]
図４を用いて画像形成装置１０１の制御系について説明する。図４は、図１における画像形成装置１０１を制御するブロック図を示したものである。
【００２５】
ＣＰＵ回路部４０７はＣＰＵ４０８を有し、ＲＯＭ４０９に格納されているプログラム及び操作部４１１の設定に従って、次に示す制御部をコントロールする。制御部とは、原稿給送装置制御部４０３、イメージリーダ制御部４０４、画像信号制御部４０５、プリンタ制御部４０６、スタッカ制御部４１２、くるみ製本装置制御部４１３、中綴じ製本装置制御部４１４、外部Ｉ／Ｆ４０２である。原稿給送装置制御部４０３は自動原稿搬送装置３０１を制御する。イメージリーダ制御部４０４はスキャナ３０２を制御する。プリンタ制御部４０６は感光ドラム３０４や定着器３０８等を制御する。スタッカ制御部４１２は大容量スタッカ２０３を制御する。くるみ製本装置制御部４１３はくるみ製本装置２０４を制御する。中綴じ製本装置制御部４１４は中綴じ製本装置２０５を制御する。
【００２６】
ＲＡＭ４１０は制御データを一時的に保持する領域や、制御に伴う演算の作業領域として用いられる。外部Ｉ／Ｆ４０２は情報処理装置１０２とのインターフェースであり、プリントデータを画像に展開して画像信号制御部４０５へ出力する。また、イメージリーダ制御部４０４から画像信号制御部４０５へはスキャナ３０２で読み取られた画像が出力される。そして、画像信号制御部４０５からプリンタ制御部４０６へ出力された画像は画像形成され、給紙カセット３１７などから給紙したシートに印刷される。その後、印刷されたシートは、ユーザ指定の出力形態に応じて後処理を施される。
【００２７】
ここで、後処理とは、スタッカ制御部４１２、くるみ製本装置制御部４１３、中綴じ製本装置制御部４１４により施される処理を示す。例えば、シートが大容量スタッカ２０３に排紙される場合は、スタッカ制御部４１２が後処理を行う。また、シートをくるみ製本装置２０４で処理する場合は、スタッカ制御部４１２（ストレート排紙処理）、くるみ製本装置制御部４１３が後処理制御を行う。また、シートを中綴じ製本装置２０５で処理する場合は、スタッカ制御部４１２（ストレート排紙処理）、くるみ製本装置制御部４１３（ストレート排紙処理）、中綴じ製本装置制御部４１４が後処理制御を行う。
【００２８】
操作表示装置制御部４１１は、操作パネル３２３とＣＰＵ回路部４０７との間で情報のやり取りを行う。操作パネル３２３は、画像形成に関する各種機能を設定する複数のキー、設定状態を示す情報を表示するための表示部などを有する。操作表示装置制御部３１１は、各キーの操作に対応するキー信号をＣＰＵ回路部３０７に出力するとともに、ＣＰＵ回路部３０７からの信号に従って、対応する情報を表示部に表示させる。
【００２９】
[情報処理装置の制御系]
図５を用いて情報処理装置１０２、情報処理装置１０３の制御系について説明する。図５は、図１における情報処理装置１０２、情報処理装置１０３を制御するブロック図を示したものである。
【００３０】
図５において、５０１はＣＰＵ（セントラルプロセッシングユニット）である。ＣＰＵ５０１は、ＲＯＭ５０７、ＨＤＤ５０９及びＣＤＤ５０６に格納された制御プログラムに基づいてＣＰＵデバイスに接続された各デバイスを制御する。
【００３１】
５０２は表示装置であり、その表示画面には、例えばウインドウ、アイコン、メッセージ、メニューその他のユーザインターフェース情報が表示される。５０３はＶＲＡＭ（ビデオランダムアクセスメモリ）であり、表示装置５０２に表示するための画像が描画される。このＶＲＡＭ５０３に生成された画像データは、所定の規定に従って表示装置５０２に転送され、これにより表示装置５０２に画像が表示される。
【００３２】
５０４はキーボードであり、文字入力を行うための各種キーを有する。５０５はＰＤ（ポインティングデバイス）であり、例えば、表示部５０２の表示画面上に表示されたアイコン、メニューその他のオブジェクトを指示するために使用される。
【００３３】
５０６はＣＤＤ（コンパクトディスクドライブ）であり、ＣＤ−ＲＯＭや、ＣＤ−Ｒなどの記録メディアとの間で各種制御プログラムやデータの読み書きを行う装置である。これはＤＶＤドライブであってもよい。
【００３４】
５０７はＲＯＭ（リードオンリメモリ）であり、各種の制御プログラムやデータを保持する。５０８はＲＡＭ（ランダムアクセスメモリ）でありＣＰＵ５０１のワーク領域、エラー処理時のデータの退避領域、制御プログラムのロード領域等を有する。例えば、情報処理装置１０２は、電子データをＲＩＰして画像形成装置１０１へ送信する機能を有している。そのプログラムはＲＯＭ６０７に格納されており、ＲＩＰ処理を行い際にはＣＰＵ５０１のワーク領域やＲAM５０８を利用する。
【００３５】
５０９は内部記録装置としてのＨＤＤ（ハードディスクドライブ）であり、各種制御プログラムや各種データを保存する。５１０は外部記録Ｉ／Ｆであり、ＵＳＢメモリなどの外部記録媒体への読み書きを行う装置である。
【００３６】
５１１はネットワーク・インターフェース（Ｎｅｔ−Ｉ／Ｆ）であり、他の情報処理装置や印刷装置等とネットワーク５１２を介して通信を行うことができる。５１３はＣＰＵバスであり、アドレスバス、データバス及びコントロールバスを含む。ＣＰＵ５０１に対する制御プログラムの提供は、ＣＤＤ５０３、ＲＯＭ５０７、ＨＤＤ５０９から行うこともできるし、ネットワーク５１２を介して他の情報処理装置等から行うこともできる。
【００３７】
[画像形成装置へのインデックス紙の登録]
図６は画像形成装置２０２の給紙トレーにインデックス紙を登録するときの操作パネル３２３の画面である。ユーザーモードから用紙登録を選択し、インデックス紙を登録する給紙トレーを選択し、用紙サイズでA4インデックス紙、レターインデックス紙を選択すると図６の用紙種類の選択画面が表示される。
【００３８】
図６で、６０１は用紙種類の表示を制御するプルダウンメニューで、「基本用紙」、「ユーザー作成用紙」、「すべての用紙」から選択可能である。６０２はインデックス紙を選択したところである。インデックス紙を選択したときには６０３の「インデックス紙詳細設定」ボタンが表示され詳細設定に進むことができる。６０４はキャンセルボタン、６０５は前画面に戻るボタン、６０６は選択を確定するOKボタンである。
【００３９】
図７と図８を用いて、インデックス紙詳細設定について説明する。図７はインデックス紙詳細設定をするときの操作パネル３２３の画面である。図８はインデックス紙の一例で、一組４インデックス（タブ）のインデックス紙である（８０１、８０２、８０３、８０４）。図７の７０１はタブ数で図8のインデックス紙では７０１は４となる。タブ数は最大30まで設定することができる。７０２はタブ順で給紙トレーにインデックス紙を格納する順番を示す。図8では、一番上のインデックス紙のタブが上に来ている。このような場合を正順とし、一番下のタブのインデックス紙が上に来るのを逆順としている。７０２は８０１が一番上になるので正順である。７０４の第一タブオフセットは一番上のタブと上辺の長さであり、図８では８０５の長さにあたる。７０３のタブ長はタブの長さで図８では８０７にあたる。７０４はタブ間オフセットで前タブとの高さの差を示す。図８では、８０６になる。７０５はインデックス紙テスト印刷をするためのインデックス紙テスト印刷開始ボタン、７０６はキャンセルボタン、７０７は前画面に戻るボタン、７０８は設定を確定するOKボタンである。
【００４０】
[インデックス紙テスト印刷]
画像形成装置２０２に登録したインデックス紙の設定が正しいかどうかをテストするインデックス紙テスト印刷について、図７、図９、図１０を用いて説明する。図７のインデックス紙詳細設定で値を設定後、インデックス紙テスト印刷ボタン７０５を押下するとレターサイズのインデックス紙の場合はレターサイズ、A4サイズのインデックス紙の場合はA4サイズの用紙にインデックス紙の形状が印刷されて詳細設定を行ったインデックス紙の確認をすることができる。図１０にインデックス紙テスト印刷処理のフローチャートを示す。S1001でCPU回路部５０７は原稿給送装置５０３からインデックス紙給紙トレーに設定されているインデックス紙詳細設定の値を取得し、RAM５１０に格納する。S1002では、RAM５１０に格納されている７０１に設定されているタブ数の値が７よりも大きいかどうかを調べ、７よりも大きい場合は、S1003に進み、７以下の場合はS1005に進む。S1005の全タブ形状画像生成では、S1001で取得したインデックス紙詳細設定情報からインデックス紙の形状画像を生成する。
【００４１】
図９にインデックス紙の形状画像を示す。９０１はインデックス紙８０１に対応するインデックス紙形状画像である。CPU回路部５０７はインデックス紙の形状をハーフトーンのベタでRAM５１０上のページバッファ領域に書き込む。タブの形状は、タブの幅が12.7mmで長さが７０３で設定された値(40mm)であり、600dpiの画像形成装置では300 pixel × 944 pixelの矩形となる。この矩形を図9の９０１に示すように定形用紙(レターまたはA4)の2分の1の長さ分だけ紙送り方向にシフトさせてページバッファ領域に書き込む。用紙の中心線がインデックス紙の長辺となる。この中心線上にタブ形状の矩形をインデックス紙詳細設定にしたがってレイアウトする。S1005ではタブ数分のタブ形状画像を生成する。
【００４２】
S1003では、操作パネル３２３上に不図示の確認メッセージを表紙し、すべてのインデックス紙を印刷するかどうかを確認する。すべてのインデックス紙を印刷する場合にはS1005に進む。そうでない場合には、S1004の選択タブ形状画像生成に進む。S1004では第一インデックス紙、第二インデックス紙、最終インデックス紙の形状画像を生成する。S1006ではCPU回路部は９０２に示すようにインデックス紙の詳細設定を画像として生成する。９０３は９０２を拡大表示したものである。S1007では、S1005またはS1004で生成されたインデックス紙形状画像とS1006で生成されたインデックス紙詳細設定情報画像を画像合成処理する。S1008ではCPU回路部はプリンタ制御部５０６に定形用紙を指定した印刷の開始を指示してインデックス紙テスト印刷を開始する。
【００４３】
以上のように、インデックス紙テスト印刷ではインデックス紙が登録されている給紙トレーの形状を定形用紙を用いてテスト印刷することで実際のインデックス紙と設定した値が正しいかを確認することができる。
【００４４】
[印刷ジョブ設定からのインデックス紙テスト印刷]
印刷ジョブ管理システムのインデックス紙印刷設定からのインデックス紙テスト印刷について説明する。印刷ジョブ管理システムは、情報処理装置１０２上で動作するアプリケーションである。プリンタドライバーから送信された印刷ジョブを保持し、印刷設定を変更したり、再印刷をしたり、画像形成装置２０２に展開された画像データを送信することができる。図１１はインデックス紙印刷設定のウインドウである。印刷ジョブ管理システムから印刷ジョブを選択し、印刷設定を表示させ、インデックス紙印刷設定を選択することで表示することができる。インデックス紙印刷設定ウインドウはいくつかのタブから構成されている。１１０１は基本タブで用紙サイズ(レターインデックス紙またはA4インデックス紙)や用紙の坪量などの用紙種類を設定する。１１０２は詳細タブで図１１で示すように、印刷ジョブで使用するインデックス紙の形状に関する値を設定する。１１０３はタブテキストタブで図12に示す。１１０４はレイアウトタブでフォント種類やサイズ、テキストの方向や整列方法を設定する。１１０５はタブ数、１１０６はタブ順、１１０７は第一タブオフセット、１１０８はタブ長さ、１１０９はタブ間オフセットであり、それぞれの定義の説明は図7の画像形成装置のインデックス紙詳細設定と同じであるため割愛する。１１１０は設定を確定するOKボタン。１１１１はキャンセルボタン。１１１２は設定を適用し、ウインドウを閉じない状態を保持する適用ボタン。１１１３はヘルプを表示するヘルプボタンである。
【００４５】
図１２はタブテキストタブ１１０３を押下して表示する画面である。１２０１はタブ番号、１２０２はタブテキストでこの欄に入力した文字列を詳細タブで定義したインデックス紙のタブ部分に印刷する。１２０３はインデックス紙のページ番号で、タブテキストに文字が記入されている場合は、インデックス紙挿入位置でインデックス紙を挿入するページ番号を指定する。タブテキスト１２０３が空白のときは、1203のページサイズがインデックス紙となり、１２０３のページに入力されたページがインデックス紙に印刷される。１２０４は挿入タブ数で印刷ジョブで使用するインデックス紙の総枚数を入力する。１２０５はインデックス紙テスト印刷ボタンで印刷ジョブのインデックス紙テスト印刷を開始する。
【００４６】
図１３のフローチャートと図14、図15を用いて印刷ジョブからのインデックス紙テスト印刷を説明する。１２０５のボタンを押下してインデックス紙テスト印刷を開始するとS1301で情報処理装置１０２は印刷ジョブのタブ詳細設定をRAM５０８上に保持する。S1302で印刷ジョブが図12のタブテキストタブでタブテキスト印刷をしているかどうかを調べる。1202のタブテキストに文字入力があるタブテキスト印刷ありの場合はS1303に進み、1202のタブテキストに入力がなく、１２０３のページをインデックス紙に印刷する場合はS1306に進む。S1303では情報処理装置１０２は画像形成装置２０２にベタ画像で形状を表現するソリッドタブ形状画像生成のコマンドを送信し、画像形成装置は図１０のインデックス紙テスト印刷のS1005と同様にして、画像形成装置に登録されているインデックス紙の形状画像１４０１を生成する。S1304では情報処理装置１０２は印刷ジョブのインデックス紙印刷設定に設定されている設定値とタブテキストから定形用紙(レターまたはA4)の2分の1の長さ分だけ紙送り方向にシフトさせて画像展開処理を行い、タブテキストシフト画像1402を生成し、画像形成装置２０２に送信する。S1305では画像形成装置２０２はソリッドタブ形状画像１４０１にタブテキストシフト画像１４０２を上書き合成する。
【００４７】
S1306では、画像形成装置は画像形成装置に登録されているインデックス紙の形状を線で表現するラインタブ形状画像１５０２を生成する。ラインタブ形状画像１５０２はS1005で得られたタブ形状の矩形とインデックス紙の長辺部分を線で描画した画像である。S1307では情報処理装置１０２は印刷ジョブのインデックス紙を使用するページを定形用紙(レターまたはA4)の2分の1の長さ分だけ紙送り方向にシフトさせて画像展開処理を行い、タブページ画像１５０１を生成し、画像形成装置２０２に送信する。S1308では画像形成装置２０２はタブページ画像１５０１にラインタブ形状画像１５０２を上書き合成する。
【００４８】
S1309では、印刷ジョブに未処理インデックス紙ページがあるかどうかを調べ、未処理インデックス紙ページがある場合にはS1302に戻り、ない場合にはS1310に進む。S1310では、画像形成装置２０２は定形用紙にインデックス紙テスト印刷を行う。
【００４９】
以上のように、印刷ジョブからのインデックス紙テスト印刷では画像形成装置に登録されたインデックス紙の形状と、印刷ジョブで作成したインデックス紙を定形用紙を用いてテスト印刷することで、印刷ジョブのインデックス紙の設定と画像形成装置に登録したインデックス紙がマッチしているかを確認することができる。
【符号の説明】
【００５０】
１０１  …  画像形成装置
１０２  …  サーバ
１０３  …  ＰＣクライアント
１０４  …  ネットワーク
２０１  …  ペーパーデッキ
２０２  …  画像形成装置
２０３  …  大容量スタッカ
２０４  …  くるみ製本機
２０５  …  中綴じ製本機
【図１】
2013208821.tif 000003
【図２】
2013208821.tif 000004
【図３】
2013208821.tif 000005
【図４】
2013208821.tif 000006
【図５】
2013208821.tif 000007
【図６】
2013208821.tif 000008
【図７】
2013208821.tif 000009
【図８】
2013208821.tif 000010
【図９】
2013208821.tif 000011
【図１０】
2013208821.tif 000012
【図１１】
2013208821.tif 000013
【図１２】
2013208821.tif 000014
【図１３】
2013208821.tif 000015
【図１４】
2013208821.tif 000016
【図１５】
2013208821.tif 000017